(57)【特許請求の範囲】
【請求項１】
天井に設置される室内機本体と、室内の空気を前記室内機本体内に吸い込む吸込口と、前記室内機本体内に吸い込んだ前記空気を前記室内に吹き出す吹出口と、を備えている天井埋込式空気調和機であって、
前記吸込口から吸い込まれる空気が通過する化粧パネル用フィルタを備え、
前記化粧パネル用フィルタは、フィルタ濾材と、前記フィルタ濾材を収容するフィルタ枠と、を備え、
前記フィルタ濾材は、前記フィルタ枠とは別体に設けられ、前記フィルタ枠に着脱自在に取り付けられ、
前記室内機本体には、前記化粧パネル用フィルタが設けられる化粧パネルが取り付けられ、
前記化粧パネルは、枠状に形成された当該化粧パネルの内壁に突出形成された突板部と、
前記突板部の先端側に切欠形成された係合溝部と、を有し、
前記フィルタ枠は、当該フィルタ枠に形成された係止孔にフィルタ摘みを挿入し、前記フィルタ摘みを前記係合溝部に回動自在に圧入されることによって、前記化粧パネルに取り付けられることを特徴とする天井埋込式空気調和機。
【請求項２】
前記フィルタ枠は、金属製の板材で形成されていることを特徴とする請求項１に記載の天井埋込式空気調和機。
【請求項３】
前記化粧パネル用フィルタの下側には、フラット形状のフラットグリルが配置され、
前記吸込口は、前記フラットグリルと前記化粧パネルとの間の隙間で構成され、
前記フィルタ枠は、前記化粧パネルの色よりも、明度の暗い色の塗料で塗装されていることを特徴とする請求項２に記載の天井埋込式空気調和機。
【請求項４】
前記フィルタ枠は、平面視して四角形の前記フィルタ濾材を支持する１枚の金属製の平板状部材と、
前記平板状部材上の対向する位置に接合されて前記フィルタ濾材の二辺をそれぞれ支持する金属製のガイドレールと、
前記各ガイドレールに対して直交する方向に配置されると共に、前記平板状部材上に対向配置されて、前記フィルタ濾材の二辺を支持する一対の金属製のステーと、を備え、
前記一対のステーは、一方が、前記平板状部材上に接合され、他方が、前記平板状部材上に着脱自在に取り付けられて、
前記フィルタ濾材は、前記他方のステーを前記平板状部材から取り外すことによって、前記各ガイドレール間をスライドさせて挿入及び取り出し可能に配置されていることを特徴とする請求項１ないし請求項３のいずれか１項に記載の天井埋込式空気調和機。
【請求項５】
前記他方のステーは、摘み部を有する摘みねじによって前記平板状部材に着脱自在に設けられていることを特徴とする請求項４に記載の天井埋込式空気調和機。
【請求項６】
天井に設置される室内機本体と、室内の空気を前記室内機本体内に吸い込む吸込口と、前記室内機本体内に吸い込んだ前記空気を前記室内に吹き出す吹出口と、を備え、
前記吸込口から吸い込まれる空気が通過する化粧パネル用フィルタを備え、
前記化粧パネル用フィルタは、フィルタ濾材と、前記フィルタ濾材を収容するフィルタ枠と、を備え、
前記フィルタ濾材は、前記フィルタ枠とは別体に設けられ、前記フィルタ枠に着脱自在に取り付けられている天井埋込式空気調和機であって、
前記フィルタ枠は、平面視して四角形の前記フィルタ濾材を支持する１枚の金属製の平板状部材と、
前記平板状部材上の対向する位置に接合されて前記フィルタ濾材の二辺をそれぞれ支持する金属製のガイドレールと、
前記各ガイドレールに対して直交する方向に配置されると共に、前記平板状部材上に対向配置されて、前記フィルタ濾材の二辺を支持する一対の金属製のステーと、を備え、
前記一対のステーは、一方が、前記平板状部材上に接合され、他方が、前記平板状部材上に着脱自在に取り付けられて、
前記フィルタ濾材は、前記他方のステーを前記平板状部材から取り外すことによって、前記各ガイドレール間をスライドさせて挿入及び取り出し可能に配置されており、
前記他方のステーは、摘み部を有する摘みねじによって前記平板状部材に着脱自在に設けられており、
前記フィルタ濾材は、矩形に形成され、
前記他方のステーは、前記フィルタ濾材の短手方向に配置されていることを特徴とする天井埋込式空気調和機。
【請求項７】
前記フィルタ枠は、シール部材を介して化粧パネルに取り付けられていることを特徴とする請求項１または請求項６に記載の天井埋込式空気調和機。
【発明の詳細な説明】
【技術分野】
【０００１】
本発明は、店舗、ビル、工場等の天井に設置される天井埋込式空気調和機に関する。
【背景技術】
【０００２】
従来、天井埋込式空気調和機は、天井に埋め込まれた室内機本体の下面に、吸込口を覆うにように配置されるフィルタを備えた化粧パネルが取り付けられている（例えば、特許文献１参照）。天井埋込式空気調和機は、吸込口から吸い込んだ室内空気中の塵挨をフィルタで捕捉して清浄化し、熱交換器で熱交換された室内空気を吹出口から室内に戻している。フィルタは、塵埃の付着で汚れて目詰まりが生じると、空気清浄能力が低下するため、着脱して清掃される。
【０００３】
特許文献１に記載された天井埋込式空気調和機の発明は、フィルタを化粧パネルに容易に着脱できるようにしたものである。そのフィルタは、比較的厚さの薄いフィルタ本体と、化粧パネルの係止孔及び吸込口にそれぞれ係止する係止リブ及び係止爪を有し、弾性変形し易い合成樹脂製の外枠と、を一体化して構成されている。
【０００４】
図１２は、従来のフィルタの吸込グリルへの取り付け構造を示す分解斜視図である。
図１２に示すように、従来、天井埋込式空気調和機の室内機本体において、比較的厚さの厚いフィルタ濾材１１０を備えたフィルタ１００の場合は、フィルタ濾材１１０の外周に設けられたフィルタ枠１２０が、室内機本体に固定された化粧パネル（図示省略）の中央に設置される吸込グリル２００に着脱自在に取り付けられている。吸込グリル２００は、化粧パネルの開口部に開閉自在に設けられた枠部２１０と、吸込口２４０を覆うように形成された略網状の長方形格子状部２２０と、枠部２１０の内側に対向配置された係止爪２３０と、を一体形成した樹脂製の部材から成る。
【０００５】
フィルタ１００は、フィルタ枠１２０の前後端部にそれぞれ形成された一対の係合穴１２１を、吸込グリル２００の係止爪２３０にそれぞれ係合させることで、吸込グリル２００に取り付けられている。また、フィルタ１００は、塵埃が目詰まりする等して劣化した場合、フィルタ枠１２０の係合穴１２１を吸込グリル２００の係止爪２３０から外して、フィルタ１００全体が新品のものに交換される。
【先行技術文献】
【特許文献】
【０００６】
【特許文献１】特開平１１−２８１０７７号公報
【発明の概要】
【発明が解決しようとする課題】
【０００７】
しかし、特許文献１に記載された天井埋込式空気調和機は、フィルタの外枠を化粧パネルから取り外す場合に、ドライバ等の棒状工具を使用して外枠を取り外さなければならないため、フィルタの取り外し作業及び交換作業が行い難いという問題点があった。
【０００８】
また、特許文献１の天井埋込式空気調和機及び図１２に示すフィルタ１００は、フィルタ１００を交換する場合、フィルタ濾材１１０とフィルタ枠１２０とから成るフィルタ１００全体を交換しなければならないので、非経済的であるという問題点があった。
【０００９】
また、図１２に示すようなフィルタ１００は、吸込グリル２００に代えて略網状の格子部がない図２に示すようなフラットな形状のフラットグリルを化粧パネルに取り付けるフラットグリルタイプの室内機の場合、フィルタ濾材１１０を化粧パネル側に取り付けることが不可欠になる。このため、係合穴１２１と係止爪２３０とによるフィルタ１００の吸込グリル２００への取付方法では、フラットグリルタイプの室内機に対応できないという問題点があった。
【００１０】
吸込グリル２００をフラットな形状に変えた場合は、化粧パネル側にフィルタ１００を固定するための取付部を新たに設ける必要がある。このため、フィルタ１００は、面積が増大して大型化し、大型化に伴って自重が重くなるので、フィルタ枠１２０と枠部２１０に歪みが生じるという問題点があった。また、フィルタ１００は、取付部の形状が複雑化することにより、コストが増大するという問題点があった。
【００１１】
そこで、本発明は、それらの問題点を解消すべく創案されたものであって、フラットグリルに対応可能で、フィルタ濾材の着脱作業の作業性がよく、コストダウンを図ることができる天井埋込式空気調和機を提供することを課題とする。
【課題を解決するための手段】
【００１２】
前記課題を解決するために、本発明に係る天井埋込式空気調和機は、天井に設置される室内機本体と、室内の空気を前記室内機本体内に吸い込む吸込口と、前記室内機本体内に吸い込んだ前記空気を前記室内に吹き出す吹出口と、を備えている天井埋込式空気調和機であって、前記吸込口から吸い込まれる空気が通過する化粧パネル用フィルタを備え、前記化粧パネル用フィルタは、フィルタ濾材と、前記フィルタ濾材を収容するフィルタ枠と、を備え、前記フィルタ濾材は、前記フィルタ枠とは別体に設けられ、前記フィルタ枠に着脱自在に取り付けられ、前記室内機本体には、前記化粧パネル用フィルタが設けられる化粧パネルが取り付けられ、前記化粧パネルは、枠状に形成された当該化粧パネルの内壁に突出形成された突板部と、前記突板部の先端側に切欠形成された係合溝部と、を有し、前記フィルタ枠は、当該フィルタ枠に形成された係止孔にフィルタ摘みを挿入し、前記フィルタ摘みを前記係合溝部に回動自在に圧入されることによって、前記化粧パネルに取り付けられることを特徴とする。
【００１３】
かかる構成によれば、天井埋込式空気調和機は、化粧パネル用フィルタが、フィルタ濾材とフィルタ枠とを備え、フィルタ濾材がフィルタ枠とは別体に設けられていることによって、フラットな形状のフラットグリルを有するタイプの室内機本体であっても取付対応可能である。また、化粧パネル用フィルタは、フィルタ濾材がフィルタ枠に着脱自在に取り付けられていることによって、着脱作業の作業性がよい。また、化粧パネル用フィルタは、フィルタ濾材が目詰まりするなどして交換する場合、フィルタ濾材のみを交換すればよいので、コストダウンを図ることができる。
また、フィルタ摘みは、フィルタ枠の係止孔に挿入して指で摘んで、９０度回動操作することによって、化粧パネル用フィルタを化粧パネルに固定させることができる。また、フィルタ摘みは、その状態から指で摘んで元の方向に９０度回動させることで、化粧パネル用フィルタを化粧パネルから取り外すことが可能な状態にする。
【発明の効果】
【００１４】
本発明に係る天井埋込式空気調和機は、フラットグリルを有するタイプの室内機に対応可能で、フィルタ濾材の着脱作業の作業性がよく、また、フィルタ交換の際に、フィルタ濾材のみを交換すればよいので、コストダウンを図ることができる。
【図面の簡単な説明】
【００１５】
【図１】本発明に係る天井埋込式空気調和機の一例を示す縦断面図である。
【図２】本発明に係る天井埋込式空気調和機の分解斜視図である。
【図３】化粧パネルの拡大半断面図である。
【図４】化粧パネルに化粧パネル用フィルタを取り付けるときの状態を示す要部拡大分解斜視図である。
【図５】図４のＡ部拡大斜視図である。
【図６】化粧パネル用フィルタの係止孔を化粧パネルに設けられたフィルタ摘みに嵌め込んだときの状態を示す要部拡大斜視図である。
【図７】（ａ）は図６のＢ部拡大図、（ｂ）はフィルタ摘みを回動させて化粧パネルに化粧パネル用フィルタを固定させたときの状態を示す要部拡大斜視図である。
【図８】化粧パネル用フィルタの拡大分解斜視図である。
【図９】（ａ）はフィルタ枠からフィルタ濾材を取り出して交換するときの状態を示す斜視図、（ｂ）は図９（ａ）のＣ部拡大縦断面図である。
【図１０】化粧パネル用フィルタの要部拡大分解斜視図である。
【図１１】（ａ）は化粧パネル用フィルタの平面図、（ｂ）は化粧パネル用フィルタの側面図、（ｃ）は化粧パネル用フィルタの正面図である。
【図１２】、従来のフィルタの吸込グリルへの取り付け構造を示す分解斜視図である。
【発明を実施するための形態】
【００１６】
以下、図１〜図１１を参照しながら本発明の実施形態に係る天井埋込式空気調和機の一例を説明する。
なお、本発明に係る天井埋込式空気調和機１は、天井埋込タイプの空気調和機であれば、吹出口１ｂ（風向ルーバ２１）の数は特に限定されない。以下、吹出口１ｂ（風向ルーバ２１）が二つある場合を例に挙げて説明する。
また、図面において、図２に示す化粧パネル２の二箇所に配置された風向ルーバ２１側を左右方向、風向ルーバ２１が延設されている方向を前後方向として便宜上説明する。
【００１７】
＜天井埋込式空気調和機及び室外機＞
図１に示す天井埋込式空気調和機１は、室外に配置される室外機（図示省略）と、この室外機に配管によって接続されて、室内の天井面Ｒ１に配置される室内機１０と、を備えて成る。室外機は、天井埋込式空気調和機１の冷凍サイクルにおいて、冷媒を圧縮する圧縮機と、冷媒と外気とを熱交換させる室外熱交換器と、室外機に外気を送風する室外送風ファンと、冷媒を減圧する膨張弁と、を備えている。
【００１８】
＜室内機＞
室内機１０は、天井埋込式空気調和機１の冷凍サイクルにおいて、冷媒と室内の空気とを熱交換させる室内熱交換器１２と、室内熱交換器１２に空気を送る室内送風ファン１３と、を備えている。また、室内機１０は、天井に設置される室内機本体１１と、吸込口１ａと、室内機本体１１の下側に取り付けられて吹出口１ｂを有する化粧パネル２と、吹出口１ｂに配置された風向ルーバ２１と、吸込口１ａから吸い込まれる空気が通過する化粧パネル用フィルタ３と、化粧パネル用フィルタ３の下方に配置されるフラットグリル４と、を主に備えている。以下、室内機１０を適宜、天井埋込式空気調和機１という。
【００１９】
吸込口１ａは、室内の空気を室内機本体１１内に吸い込む部位である。この吸込口１ａは、例えば、室内機１０の下面部の左右の二箇所に配置されている。吸込口１ａの開口縁は、フラットグリル４の左右側の外周部と、この外周部が対向する枠状の化粧パネル２の内周部と、の間に形成された前後方向に長い矩形の口から成る。吸込口１ａの奥側には、吸込口１ａに連通する送風機吸込口１ｃが設けられている。
【００２０】
吹出口１ｂは、室内機本体１１内に吸い込んだ空気を室内に吹き出す部位である。吹出口１ｂは、室内送風ファン１３によって勢い付けられて室内熱交換器１２で熱交換された空気を、室内の下方に向けて吹き出すように形成されている。吹出口１ｂは、四角枠形状の化粧パネル２において、風向ルーバ２１が傾動自在に配置されている左右の左右枠部２ａに形成された二つの長孔から成る。
【００２１】
図１に示すように、室内機本体１１は、室内の天井面Ｒ１に形成された設置穴に埋め込むように装着される金属製の筐体である。室内機本体１１は、下面側に開口部を有する略ボックス形状に形成されている。図２に示すように、下面視して矩形に形成された室内機本体１１の下面外周部寄りの複数箇所には、化粧パネル２を室内機本体１１に固定するためのねじ部材１４がねじ込められる雌ねじ部１１ａが形成されている。
【００２２】
図１に示すように、室内熱交換器１２は、吸込口１ａから吹出口１ｂへ向かう風路上に設けられ、フィルタ濾材３０によって塵埃が除去された空気を熱交換させる装置である。
室内送風ファン１３は、ファンとモータとから成り、室内機本体１１内の中央部に設けられている。
【００２３】
＜化粧パネル＞
図２に示すように、化粧パネル２は、室内機本体１１の下側外周部を覆うようにして室内機本体１１に取り付けられると共に、化粧パネル用フィルタ３及びフラットグリル４の周辺部位を取り囲むように略矩形に形成された枠形状部材である。化粧パネル２は、前後方向に延びる左右枠部２ａと、左右方向に延びる前後枠部２ｂと、を枠状に連結して成る。
【００２４】
図２及び図３に示すように、前記化粧パネル２には、前記吹出口１ｂと、後記する支持ピン２２及びフック係止部材２３が設けられた内壁２ｃと、化粧パネル用フィルタ３のフィルタ枠３１が支持される段差部２ｄと、フィルタ摘み２４が回動可能に装着されたフィルタ摘み係合部２ｅと、が形成されている。つまり、化粧パネル２には、左右一対の風向ルーバ２１と、フラットグリル４と、フラットグリル４を支持する複数の支持ピン２２と、化粧パネル用フィルタ３と、化粧パネル用フィルタ３を吊支するフィルタ吊支部材６の一端が取り付けられたフック係止部材２３と、化粧パネル用フィルタ３を化粧パネル２に着脱自在に取り付けるためのフィルタ摘み２４と、が設けられている。化粧パネル２及びフラットグリル４は、白色、銀色、グレー等の明度が明るい色の領域（白色系）の色の樹脂、または、白色系の塗料で塗装した金属によって形成されている。
【００２５】
左右枠部２ａは、四角枠状の化粧パネル２の左側部分と右側部分とであり、前後方向に延設されている。
前後枠部２ｂは、四角枠状の化粧パネル２の前側部分と後側部分とであり、一対の左右枠部２ａの前端部間及び後端部間に架設されている。
左右枠部２ａ及び前後枠部２ｂの下面は、縦断面視して、化粧パネル２の外周部側から中央部方向に向けて盛り上がるようにテーパ状に形成されている。
【００２６】
内壁２ｃは、四角枠状の化粧パネル２の内側壁面であって、化粧パネル用フィルタ３及びフラットグリル４が着脱自在に内設されている。
段差部２ｄは、フィルタ枠３１の上面が当接した状態で固定される部位である。段差部２ｄは、内壁２ｃの上下方向の中央部位において、内壁２ｃの全周に亘って枠状に形成された平らな面から成る。
【００２７】
図２に示すように、フィルタ摘み係合部２ｅは、化粧パネル２の内壁２ｃにおいて、四角枠形状の段差部２ｄの左右枠部２ａ及び前後枠部２ｂの中央部及び前後端部の六箇所に形成されている（図４参照）。つまり、フィルタ摘み係合部２ｅは、化粧パネル用フィルタ３を化粧パネル２に取り付ける際に、各フィルタ摘み係合部２ｅに回動可能に装着されたフィルタ摘み２４が、フィルタ枠３１の六箇所に形成された係止孔３２ｃに挿入されるように、各係止孔３２ｃに合致する位置に形成されている（図４参照）。
【００２８】
図５に示すように、フィルタ摘み係合部２ｅは、段差部２ｄから化粧パネル２の開口部側に向けて突出形成された突板部２ｆと、突板部２ｆの上側に形成された凹溝部２ｇと、
突板部２ｆの下面に形成された係合凹部２ｈと、突板部２ｆの先端中央部切欠形成された係合溝部２ｉと、を有して成る。
【００２９】
突板部２ｆは、この突板部２ｆの下面が、段差部２ｄの下側表面と面一の状態に形成された水平な板状の突起である。突板部２ｆは、フィルタ摘み２４のノブ２４ａ、上側係止部２４ｂ、及び軸支部２４ｃが配置される部位である。突板部２ｆには、側面中央部に凹溝部２ｇが形成され、下面中央部に係合凹部２ｈが形成されている。
【００３０】
凹溝部２ｇは、突板部２ｆの上面から上方向に向けて溝状に形成されて、上側係止部２４ｂが配置される部位である。
係合凹部２ｈは、下側支持部２４ｄが回動自在に係合される部位であり、下面視して略半円形に形成された窪みから成る。
係合溝部２ｉは、軸支部２４ｃが回動自在に挿入される切欠部であり、突板部２ｆの側面に形成された溝から成る。
【００３１】
図３に示すように、風向ルーバ２１は、吹出口１ｂから吹き出される空気の方向を偏向させる部材である。風向ルーバ２１は、左右枠部２ａに沿って前後方向に細長く略帯状に形成されている。風向ルーバ２１は、吹出口１ｂを開閉するように配置されるルーバ部２１ａと、ルーバ部２１ａの上側中央部に形成された回動軸部２１ｂと、を備えている。風向ルーバ２１は、制御部（図示省略）によって、運転停止時に吹出口１ｂを閉塞し、冷房運転時や暖房運転時に回動軸部２１ｂを中心として回動して吹出口１ｂを開けると共に、吹出空気の吹出方向を偏向させることができるようになっている。
【００３２】
図２に示すように、支持ピン２２は、フラットグリル４の前後端部の四箇所に形成された係合部４ａにそれぞれ挿入されてフラットグリル４を支持する部材である。支持ピン２２は、化粧パネル２の前後側の内壁２ｃの開口端寄りの位置から弾出するように、ばね部材（図示省略）を介して内壁２ｃ面に対して伸縮自在に設けられている。つまり、支持ピン２２は、内壁２ｃ面に対して出没自在に挿装された棒状部材と、棒状部材を付勢するばね部材と、を備えて構成されている。
【００３３】
フック係止部材２３は、化粧パネル用フィルタ３を化粧パネル２に吊支するフィルタ吊支部材６の一端側のフック６ｂが取り付けられる金具である。フック係止部材２３は、前後方向の２つの内壁２ｃの中央部に取り付けられている。フック係止部材２３は、上下方向に向けて平らに形成されて内壁２ｃ面にねじ止めされる取付片と、内壁２ｃ面に対して吸込口１ａ側に向けて突出形成されてフック６ｂ（図１１（ｃ）参照）が掛止されるフック取付孔を有する突出片と、を側面視してＬ字状に折曲した金属製板部材から成る。
【００３４】
図６及び図７（ａ）に示すフィルタ摘み２４は、ノブ２４ａと、上側係止部２４ｂと、軸支部２４ｃと、下側支持部２４ｄと、挿入部２４ｅと、フィルタ枠保持部２４ｆと、が一体形成された樹脂製の回動操作部材である。フィルタ摘み２４は、ノブ２４ａ、下側支持部２４ｄ、及び挿入部２４ｅをフィルタ枠３１の係止孔３２ｃに挿入してノブ２４ａを指で摘んで、９０度回動操作することによって、化粧パネル用フィルタ３を化粧パネル２に固定させる（図７（ｂ）参照）。フィルタ摘み２４は、その状態からノブ２４ａを指で摘んで元の方向に９０度回動させることで、化粧パネル用フィルタ３を化粧パネル２から取り外すことが可能な状態にする。
【００３５】
ノブ２４ａは、作業者がフィルタ摘み２４を回動操作する際に、指で摘む矩形の回動操作部である。ノブ２４ａは、フィルタ摘み２４の下端部に上下方向に向けて平板状に形成されて、フィルタ枠３１の係止孔３２ｃから下側に突出した状態に配置されている。
【００３６】
図５に示すように、上側係止部２４ｂは、フィルタ摘み２４を突板部２ｆに係止させるための部位である。上側係止部２４ｂは、フィルタ摘み２４の上端部に平板状に形成されて、突板部２ｆの上面上に載置されるように凹溝部２ｇ内に配置されている。
【００３７】
軸支部２４ｃは、フィルタ摘み２４が化粧パネル２に対して回動する際に、回動軸と成る部位である。軸支部２４ｃは、上側係止部２４ｂの下面から下側支持部２４ｄの上面に向けて軸棒状に形成されている。
【００３８】
下側支持部２４ｄは、軸支部２４ｃの下端に形成された円板形状に部位であり、係合凹部２ｈに回動自在に係合されている。下側支持部２４ｄは、上側係止部２４ｂとで突板部２ｆを挟持するように配置されている。
【００３９】
挿入部２４ｅは、フィルタ摘み２４でフィルタ枠３１を固定している際に、係止孔３２ｃが挿入される軸部状の部位である。挿入部２４ｅは、下側支持部２４ｄの下面中央部からフィルタ枠保持部２４ｆの上面中央部に亘って形成されている。
【００４０】
フィルタ枠保持部２４ｆは、フィルタ摘み２４でフィルタ枠３１を固定している際に、フィルタ枠３１を下側から支えて保持する部位であり、挿入部２４ｅの下端と、ノブ２４ａの上端部との間に形成されている。図７（ａ）に示すように、フィルタ枠保持部２４ｆは、係止孔３２ｃを挿通可能な平面視して長方形の厚板状に形成されている。
【００４１】
＜化粧パネル用フィルタ＞
図８に示す前記化粧パネル用フィルタ３は、前記フィルタ濾材３０と、フィルタ濾材３０を収容するフィルタ枠３１と、ステー３７をフィルタ枠３１に着脱させるための摘みねじ５と、前記フィルタ吊支部材６と、フィルタ枠３１の外枠３１ｂに載設されたシール部材７と、を備えている。
【００４２】
図２に示すように、化粧パネル用フィルタ３は、化粧パネル２及び吸込口１ａの形状に合わせて、前後方向に長い矩形に形成されている。化粧パネル用フィルタ３は、外枠３１ｂ上に設けられたシール部材７を化粧パネル２の段差部２ｄの表面に押し当てて押潰した状態で、各係止孔３２ｃに挿入されたフィルタ摘み２４を回動させることにより、吸込口１ａの奥部を閉塞するように化粧パネル２に密着固定されている。化粧パネル用フィルタ３の下側には、フラット形状のフラットグリル４が隙間を介して配置されている。
【００４３】
化粧パネル用フィルタ３は、天井埋込式空気調和機１の利用環境に合わせて種々の仕様のものが化粧パネル２に取り付けられる。図８に示す化粧パネル用フィルタ３は、天井埋込式空気調和機１用のオプション部品であって、その一例を示す。以下、変形アクレート繊維、変形アクリル繊維等から成るフィルタをＰ．Ｐ樹脂製の補強ネット等で覆って形成されたフィルタ濾材３０を二つ備えた化粧パネル用フィルタ３を例に挙げて説明する。
なお、フィルタ濾材３０の材質は、特に限定されず、ロングライフフィルタ（長寿命型粗塵用フィルタ）や、オイルミストフィルタや、脱臭・有害ガス除去フィルタや、抗菌・防カビフィルタ等の種々のフィルタや、厚さの厚いフィルタであっても構わない。
【００４４】
前記フィルタ濾材３０は、前後方向に長い矩形に形成された二枚の厚板状の濾材から成る。フィルタ濾材３０は、フィルタ枠３１とは別体に設けられ、摘みねじ５によってステー３７を着脱することで、フィルタ枠３１内に収納及び引出し自在に取り付けられている。フィルタ濾材３０は、摘みねじ５を緩めて、前側（他方）のステー３７を平板状部材３２から取り外すことにより、各ガイドレール３３，３４，３５間をスライドさせて挿入及び取り出し可能に配置されている。フィルタ濾材３０の上方の下流側には、室内の空気をフィルタ濾材３０を介して吸引する室内送風ファン１３（図１参照）が配置されている。
【００４５】
フィルタ枠３１は、フィルタ濾材３０の外周縁を保持するようにして収納して化粧パネル２に固定させるための枠形状の金属製フィルタケースである。フィルタ枠３１は、二つのフィルタ濾材３０の外周部が載置される１枚の平板状部材３２と、各フィルタ濾材３０の長手方向の二辺をそれぞれ支持するガイドレール３３，３４，３５と、フィルタ濾材３０の短手方向の二辺を支持するステー３６，３７と、を有している。
【００４６】
前記フィルタ枠３１は、冷間圧延鋼板（ＳＰＣＣ）、溶融亜鉛めっき鋼板（ＳＧＣＣ）等の鋼帯材、あるいは、アルミ板等の金属製の板材で形成されている。フィルタ枠３１は、色調が化粧パネル２の色よりも、明度の暗い色の塗料で塗装されて、室内から天井に配置された天井埋込式空気調和機１の吸込口１ａを見た際に、吸込口１ａの奥側（上側）にあるフィルタ枠３１が目立たないようになっている。例えば、フィルタ枠３１は、黒色等の明度が暗い色の領域の色の塗料によって塗装されている。
【００４７】
図８に示すように、平板状部材３２は、平面視して隣接された長方形の二つのフィルタ濾材３０の外周部を支持する略日の字形状にプレス形成されている（図２参照）。平板状部材３２は、それぞれ後記する外枠部３２ａと、仕切部３２ｂ（図９（ａ）参照）と、係止孔３２ｃと、位置決凸部３２ｄと、位置調整凸部３２ｅと、ねじ挿入孔３２ｆと、金具配置孔３２ｇと、を有している。
【００４８】
外枠部３２ａは、隣接して配置された二つのフィルタ濾材３０の外側周部が載置されて支持される部位であり、四角枠形状に形成されている。
図９（ａ）に示すように、仕切部３２ｂは、外枠部３２ａの前側中央部から後側中央部に亘って架設されて、外枠部３２ａを二分するように配置されている。
係止孔３２ｃは、フィルタ摘み２４（図４及び図６参照）のノブ２４ａが挿入される矩形の孔であり、外枠部３２ａの左右側の前後端部及び中央部に形成されている。
【００４９】
図８または図９（ａ）、（ｂ）に示す各位置決凸部３２ｄは、平板状部材３２にガイドレール３３，３４，３５及びステー３６を載置してスポット溶接する際、及び、平板状部材３２にステー３７を載置して摘みねじ５でねじ止めする際の位置合わせ部位である。位置決凸部３２ｄは、その位置合わせの際に、ガイドレール３３，３４，３５及びステー３６，３７に形成された位置決孔３３ｄ，３４ｄ，３５ｄ，３６ｄ，３７ｄが嵌合される。位置決凸部３２ｄ及び位置調整凸部３２ｅは、逆容器形状にプレス加工されて、ガイドレール３３，３４，３５の厚さ程度上方向に突出形成された平面視して円形のエンボスから成る。位置決凸部３２ｄは、外枠部３２ａの左右後端部、左右中央部、及び前後右端部と、仕切部３２ｂの後端部及び中央部と、にそれぞれ形成されている。
【００５０】
位置調整凸部３２ｅは、ガイドレール３３，３４，３５及びステー３６，３７を平板状部材３２に載置して位置決めする際に、ガイドレール３３，３４，３５及びステー３６，３７に形成された位置調整孔３３ｅ，３４ｅ，３５ｅ，３６ｅ，３７ｅを係合させて位置を微調整させるための孔である。位置調整凸部３２ｅは、例えば、外枠部３２ａの左右前端部、及び前後左端部と、仕切部３２ｂの前端部とにそれぞれ形成されている。
【００５１】
図１０に示すように、ねじ挿入孔３２ｆは、摘みねじ５のねじ部５ｂが挿入される孔であり、外枠部３２ａの前側二箇所に適宜な間隔を介して形成されている。
金具配置孔３２ｇは、フィルタ吊支部材６の取付金具６ａが遊挿した状態に配置される孔であり、外枠部３２ａの前端部中央に形成されている。金具配置孔３２ｇは、平面視して前後方向に長い矩形に形成されている。
【００５２】
図８及び図９（ａ）に示すように、ガイドレール３３，３４，３５は、二つのフィルタ濾材３０の左右方向の外縁部を前後方向に摺動可能に支持する部材である。図１０に示すように、ガイドレール３３，３４は、所謂Ｚ形鋼と同様な形状に形成された部材から成る。ガイドレール３３，３４は、左右側の外枠部３２ａ上に載設される載置部３３ａ，３４ａと、載置部３３ａ，３４ａの中側端部から上方向に折曲形成された垂直部３３ｂ，３４ｂと、垂直部３３ｂ，３４ｂから中側方向に水平に折曲形成された重合部３３ｃ，３４ｃと、を有している。
【００５３】
ガイドレール３５は、所謂溝形鋼と同様な形状した二つの部材を背中合わせに配置して、背中同士がスポット溶接で接合されている。ガイドレール３５は、仕切部３２ｂ上に載設される載置部３５ａと、載置部３５ａの中側端部から上方向に折曲形成された垂直部３５ｂと、垂直部３５ｂから外側に水平に折曲形成された重合部３５ｃと、を有している。
【００５４】
図９（ａ）及び図１０に示すように、載置部３３ａ，３４ａ，３５ａは、水平に形成された部位であり、前後方向の中央部及び後端部に位置決孔３３ｄ，３４ｄ，３５ｄが形成され、前端部に位置調整孔３３ｅ，３４ｅ，３５ｅが形成されている。
垂直部３３ｂ，３４ｂ，３５ｂは、フィルタ濾材３０の左右外側の端縁を支持する部位である。
重合部３３ｃ，３４ｃ，３５ｃは、フィルタ濾材３０の左右端部の上面に重ねて配置されて、フィルタ濾材３０の左右端部上面を支持する部位である。
位置決孔３３ｄ，３４ｄ，３５ｄは、ガイドレール３３，３４，３５の前端部及び中央部形成された円形の孔から成る。
位置調整孔３３ｅ，３４ｅ，３５ｅは、ガイドレール３３，３４，３５の後端部に形成された孔であり、この位置調整孔３３ｅ，３４ｅ，３５ｅ内に挿入される位置調整凸部３２ｅの位置を微調整できるように長円形に形成されている。
【００５５】
図９（ａ）または図１０に示すように、ステー３６，３７は、平板状部材３２の外枠部３２ａ上の前端部及び後端部に対向配置されて、ガイドレール３３，３４と同様に、縦断面視してＺ形鋼状に形成されている。ステー３６，３７は、載置部３６ａ，３７ａと、垂直部３６ｂ，３７ｂと、重合部３６ｃ，３７ｃと、位置決孔３６ｄ，３７ｄ（図１１参照）と、位置調整孔３６ｅ，３７ｅ（図１１参照）と、ボルト挿入孔３６ｆ，３７ｆ（図１１参照）と、を有している。さらに、ステー３７の載置部３７ａの左右二箇所には、摘みねじ５のねじ部５ｂが挿入されるねじ挿入孔３７ｇが形成されている。ステー３６，３７は、各ガイドレール３３，３４，３５に対して直交する方向に延設された金属製の板状部材から成る。ステー３６，３７は、後側のステー３６（一方）が、平板状部材３２上にスポット溶接で接合され、前側のステー３７（他方）が、平板状部材３２上に摘み部５ａを有する摘みねじ５によって着脱自在に取り付けられている。
【００５６】
載置部３６ａ，３７ａは、前後側の外枠部３２ａ上に載設される水平な部位である。
垂直部３６ｂ，３７ｂは、フィルタ濾材３０の前後の端縁を支持する部位であり、載置部３６ａ，３７ａの中側端部から上方向に折曲形成されている。
重合部３６ｃ，３７ｃは、フィルタ濾材３０の前後端部の上面に重ねて配置されて、フィルタ濾材３０の前後端部上面を支持する部位である。重合部３６ｃ，３７ｃは、垂直部３６ｂ，３７ｂから中側方向に水平に折曲形成されている。
【００５７】
図１０または図１１に示すように、位置決孔３６ｄ，３７ｄは、ステー３６，３７の右側寄りの位置に形成された円形の孔から成る。
位置調整孔３６ｅ，３７ｅは、ステー３６，３７の左側寄りの位置に形成された孔であり、この位置調整孔３６ｅ，３７ｅ内に挿入される位置調整凸部３２ｅの位置を微調整できるように長円形に形成されている。
ボルト挿入孔３６ｆ，３７ｆは、フィルタ吊支部材６をフィルタ枠３１の前後中央部に固定するためのボルト６１が挿入される孔である。ステー３６，３７の上面のボルト挿入孔３６ｆ，３７ｆの周縁には、ボルト６１が螺合するナット６２がプロジェクション溶接等によって接合されている。
ねじ挿入孔３７ｇは、ステー３７を平板状部材３２に固定するための摘みねじ５のねじ部５ｂが挿入される孔であり、ステー３７の左右二箇所に形成されている。ステー３７の上面のねじ挿入孔３７ｇの周縁には、ねじ部５ｂが螺合する雌ねじ部材５１がプロジェクション溶接等によって接合されている。
【００５８】
図１０に示すように、摘みねじ５は、指で摘んで回動できるようにローレット加工された頭部から成る摘み部５ａと、ねじ部５ｂと、を有している。摘みねじ５は、摘み部５ａを指で摘んで回動することによって、ステー３７をフィルタ枠３１に着脱させることができる固定部材であればよく、例えば、ローレットねじ、蝶ボルト、ノブボルト、サムスクリュー等から成る。
【００５９】
フィルタ吊支部材６は、フィルタ濾材３０を交換する際に、化粧パネル用フィルタ３が床面に落下するのを防止するための部材である。図１１（ｃ）に示すように、フィルタ吊支部材６は、平板状部材３２の外枠部３２ａの前後中央部に配置される取付金具６ａと、前記フック６ｂと、取付金具６ａとフック６ｂとを連結するチェーン６ｃと、を備えて構成されている。
【００６０】
取付金具６ａは、ステー３７のボルト挿入孔３７ｆの周縁に接合されたナット６２と、ナット６２に螺合するボルト６１とでステー３７に固定されている。図１０に示すように、取付金具６ａは、ボルト６１の雄ねじ部が挿入される孔と、チェーン６ｃが連結される孔と、を有している。取付金具６ａは、側面視して略Ｌ字状に折曲形成された金属製板部材から成る。取付金具６ａの上側半体は、平板状部材３２の金具配置孔３２ｇ内に遊挿されて、ボルト６１と、ナット６２とでステー３７の中央部に固定されている。取付金具６ａの下側半体は、下方向に向けて配置されている。
【００６１】
図１１（ｃ）に示すフック６ｂは、ばね性を有するロック部を有するストリンガーフック形状の部材であり、フック係止部材２３（図３参照）に形成された貫通孔に着脱自在に掛止されている。
チェーン６ｃは、フィルタ濾材３０の交換時に化粧パネル用フィルタ３が落下した場合に、斜めに張設した状態になって化粧パネル用フィルタ３を吊支する適宜な長さに形成されている。
【００６２】
＜シール部材＞
図８に示すように、シール部材７は、化粧パネル２（図３参照）に取り付けた際の化粧パネル用フィルタ３のガタ付き防止、及び風漏れ防止をするための弾性を有するパッキンの機能（密閉性）と、冷暖房の熱が金属製のフィルタ枠３１に伝わるのを抑制する断熱材の機能と、を有している。シール部材７は、例えば、断熱材、保温材、吸音材としての機能も有するウレタンフォーム等の発泡合成ゴムによって平板状に形成されている。シール部材７は、ガイドレール３３，３４の載置部３３ａ，３４ａ上、及び外枠部３２ａの左右側上に載設される左右側シール材７１と、ステー３６，３７の載置部３６ａ，３７ａ上、及び外枠部３２ａの前後外側上に載設される前後外側シール材７２と、外枠部３２ａ上の載置部３６ａ，３７ａの前後内側に載設される前後内側シール材７３と、を備えて成る。
左右側シール材７１は、係止孔３２ｃに合致する摘み挿入孔７１ａが形成されている。
前後外側シール材７２には、ナット６２が配置される切欠部７２ａが形成されている。
【００６３】
＜フラットグリル＞
図１及び図３に示すフラットグリル４は、フィルタ濾材３０の下側に隙間を介して配置される部材である。フラットグリル４は、樹脂製のグリル本体４１と、グリル本体４１の上側の前後方向の左右両端部に形成された係止片４２と、グリル本体４１の下面に固定されたカバー部材４３と、グリル本体４１の上面に固定された上カバー４４と、を備えて構成されている。フラットグリル４は、フィルタ濾材３０を下側から覆うようにして配置されている。フラットグリル４の左右端部は、吸込口１ａの中央側開口縁を形成している。
【００６４】
グリル本体４１は、フラットグリル４の骨格フレームを形成する中空状の部材である。グリル本体４１の上面と係止片４２との間には、支持ピン２２に挿入して係止片４２に係止可能な係合部４ａが形成されている。
係止片４２は、支持ピン２２に掛止させることによって、フラットグリル４を枠状の化粧パネル２の開口内に配置するための部位である。係止片４２は、グリル本体４１の上面の左右両端部から中心方向に向けて縦断面視して略Ｌ字状に突設されている。係止片４２先端は、下方向に向けて鉤状に形成されている。
カバー部材４３は、グリル本体４１の下側及び左右側面を覆うことによって、フラットグリル４の下面を平らに形成する金属製平板部材から成る。
上カバー４４は、枠状のグリル本体４１の上面を閉塞するようにして覆う金属製平板部材から成る。
【００６５】
≪作用≫
次に、図１〜図１１を参照して本発明の実施形態に係る天井埋込式空気調和機１の作用を組付手順に沿って説明する。
【００６６】
図１に示すように、天井埋込式空気調和機１を天井面Ｒ１に設置する場合は、まず、室内機１０を天井に取り付ける。次に、図２に示すように、ねじ部材１４を化粧パネル２のねじ孔（図示省略）を介して室内機１０の雌ねじ部１１ａにねじ込むことによって、化粧パネル２を室内機本体１１の下面外周部に取り付ける。続いて、図５に示すように、フィルタ摘み２４の軸支部２４ｃを、化粧パネル２の内壁２ｃの複数箇所にある係合溝部２ｉにそれぞれ圧入して、フィルタ摘み２４を回動可能に取り付ける。
【００６７】
次に、図２に示す化粧パネル用フィルタ３の前後端部に取り付けられたフィルタ吊支部材６を、化粧パネル２の内壁２ｃのフック係止部材２３にそれぞれ係止させる。すると、化粧パネル用フィルタ３は、図４に示すように、化粧パネル２の中央部下方にぶら下がった状態に配置される。
【００６８】
次に、フィルタ枠３１を化粧パネル２の段差部２ｄに押し当てるようにして、図６及び図７（ａ）に示すように、化粧パネル用フィルタ３の外周部の各係止孔３２ｃを、各フィルタ摘み２４のノブ２４ａに嵌める。そのノブ２４ａを、図７（ｂ）に９０度回動させる。すると、化粧パネル用フィルタ３は、フィルタ枠３１上の弾性を有するシール部材７が、フィルタ枠３１と段差部２ｄとによって押圧されて圧縮された状態で、ガタ付き無く化粧パネル２に取り付けられる（図３参照）。このため、化粧パネル用フィルタ３は、シール部材７が、フィルタ枠３１が化粧パネル２の段差部２ｄに密着した状態に取り付けられるので、化粧パネル２との隙間から風が漏れるのを阻止することができる。
【００６９】
化粧パネル用フィルタ３は、化粧パネル２に取り付けたり、取り外したりする際に、化粧パネル２のフィルタ摘み２４を回動操作することによって、工具を使用せずに、容易に化粧パネル２に着脱することができるため、フィルタの着脱作業の作業性がよい。
【００７０】
フィルタ枠３１は、フィルタ濾材３０が載置される平板状部材３２上に、フィルタ濾材３０の外周部を支えるガイドレール３３，３４，３５及びステー３６が接合されると共に、ステー３７が固定されて一体化されていることによって、補強されて強度が向上されている。このため、フィルタ枠３１は、骨格のみから成る枠状のものであっても、フィルタ濾材３０の自重をしっかりと支えることができる強度を有しているので、たとえ、フィルタ濾材３０が大型で重くても、容易に支持することができる。
【００７１】
室内機１０は、フラットな形状のフラットグリル４が室内機１０の下面中央に配置されていることによって、化粧パネル用フィルタ３が四角枠形状の化粧パネル２の内側に取り付けられている。このため、化粧パネル用フィルタ３は、フラットグリル４が無い従来のタイプの天井埋込式空気調和機と比較して大型で自重が重くなっている。化粧パネル用フィルタ３は、例えば、幅が約４００ｍｍ、長さが１５００ｍｍで、重さが２〜２．５ｋｇ程度ある。このような化粧パネル用フィルタ３であっても、強度が向上された金属製のフィルタ枠３１でフィルタ濾材３０を保持していることによって、フィルタ枠３１は、フィルタ濾材３０を撓むことなく保持することができる。
【００７２】
次に、図２に示すように、フラットグリル４の前後左右端部の各係止片４２を各支持ピン２２に係止することによって、フラットグリル４を化粧パネル２に取り付ける。これにより、室内機１０の天井面Ｒ１への取り付けが完了する。
【００７３】
図１に示すように、フラットグリル４は、化粧パネル用フィルタ３の下方に隙間を介して化粧パネル２に取り付けられることによって、化粧パネル用フィルタ３とは別体に形成されて、フィルタ濾材３０及びフィルタ枠３１の荷重がフラットグリル４にかからない構造になっている。このため、化粧パネル用フィルタ３とフラットグリル４は、互いの荷重が負荷されないので、構造上の規制を互いに受けないため、デザインの自由度を向上させることができる。つまり、フラットグリル４は、フラットグリル４の自重のみ支える係合部４ａ（係止片４２）を備えていれば、フラットグリル４全体を、化粧パネル２の枠内に配置される略平板状の簡素な形状の部材にすることが可能になる。そして、フィルタ枠３１も、フィルタ濾材３０のみを支える構造にすればよいので、全体が枠部のみから成る簡素な構造にすることができる。室内機１０は、このように構成されているので、フラットグリル４を備えたタイプのものに対応する構造になっている。
【００７４】
また、化粧パネル用フィルタ３は、図１に示すように、化粧パネル２内に取り付けられて、フィルタ濾材３０がフラットグリル４の上方の隠れた位置に配置されていることによって、吸込口１ａの開口縁から奥深い位置にあって、化粧パネル２から露出していない。このため、室内機１０は、フィルタ濾材３０が室内の利用者から視認し難いので、外観性を向上させることができる。
【００７５】
吸込口１ａは、白色系の色のフラットグリル４と化粧パネル２とで形成されている。吸込口１ａの奥の上側に配置されたフィルタ枠３１は、化粧パネル２及びフラットグリル４の白色系の色よりも、明度の暗い色の塗料で塗装されている。このため、化粧パネル用フィルタ３は、色調が化粧パネル２及びフラットグリル４よりも暗いので、室内の利用者が吸込口１ａ内を見ても、フィルタ枠３１を視認し難くなっているため、室内機１０の外観性（意匠性）を向上させることができる。
【００７６】
次に、天井埋込式空気調和機１を駆動させた場合を説明する。
不図示のリモコン等をスイッチをＯＮさせると、図１に示す室内熱交換器１２、室内送風ファン１３及び風向ルーバ２１が駆動される。すると、室内送風ファン１３によって吸込口１ａから吸引された室内の空気は、フィルタ濾材３０で塵挨が除去  されて、室内送風ファン１３を介して室内熱交換器１２を通過することで熱交換されて、吹出口１ｂから室内に戻される。このようにして室内の空気は、冷暖房されると共に清浄化される。天井埋込式空気調和機１は、長期に亘って使用すると、フィルタ濾材３０が目詰まりしたり、劣化したりするので、交換あるいは清掃する必要がある。
【００７７】
フィルタ濾材３０を交換する場合は、まず、支持ピン２２を没入させてフラットグリル４を化粧パネル２から取り外す。次に、フィルタ摘み２４を回動して化粧パネル用フィルタ３を化粧パネル２から取り外し、さらに、フィルタ吊支部材６をフック係止部材２３から取り外すと、室内機１０から化粧パネル用フィルタ３を分離させることが可能となる。
【００７８】
化粧パネル用フィルタ３は、図８及び図１０に示す摘みねじ５の摘み部５ａを指で摘んで回動してステー３７を平板状部材３２から取り外すことにより、フィルタ濾材３０をガイドレール３３，３４，３５間から引き出し、フィルタ濾材３０のみを新品のものに交換することができる（図９（ａ）参照）。このため、化粧パネル用フィルタ３は、フィルタ枠３１を使用環境にもよるが、エアコンの交換時期まで使用することができるので、フィルタ濾材３０のみを交換して、化粧パネル用フィルタ３全体を交換しない分だけ、コストダウンを図ることができる。
このように化粧パネル用フィルタ３は、フィルタ濾材３０が、フィルタ濾材３０を収容するフィルタ枠３１とは別体に設けられて、フィルタ枠３１に着脱自在に取り付けられているので、フィルタ濾材３０の交換作業が行い易く作業性がよい。
【００７９】
また、化粧パネル用フィルタ３は、前記摘みねじ５を回動してフィルタ枠３１から取り外すことによってフィルタ濾材３０の取出口を形成するステー３７が、矩形の枠状のフィルタ枠３１の短手方向に配置されている。このため、フィルタ枠３１は、辺のうちで最も短くて軽い辺で、摘みねじ５の本数が少なくて済むステー３７が着脱自在になっているので、フィルタ枠３１にステー３７を着脱するときの着脱作業が行い易い。フィルタ濾材３０は、ステー３７を取り外すことによってフィルタ枠３１に形成された取出口から引出したり、挿入したりすることができるので、フィルタ枠３１への取り付け及び取り外しが容易である。
【００８０】
図９（ａ）に示すように、フィルタ濾材３０は、ステー３７を取り外したフィルタ枠３１のガイドレール３３，３４，３５間に挿入、引出し可能に配置されることによって、矩形の厚板状をした単純な形状にすることができる。さらに、フィルタ濾材３０を収納するフィルタ枠３１も、フィルタ濾材３０に形状に合わせて簡素な構造になっているため、化粧パネル用フィルタ３全体のコストを削減することができる。
このように形成された化粧パネル用フィルタ３は、仕様の異なるフィルタ濾材３０への交換も容易に行うことも可能である。
【００８１】
≪変形例≫
なお、本発明は、前記実施形態に限定されるものではなく、その技術的思想の範囲内で種々の改造及び変更が可能であり、本発明はこれら改造及び変更された発明にも及ぶことは勿論である。
【００８２】
例えば、図８に示す化粧パネル用フィルタ３は、フィルタ濾材３０が二つの場合を説明したが、フィルタ濾材３０は一つであっても構わない。この場合、化粧パネル用フィルタ３は、フィルタ枠３１の中央部の仕切部３２ｂ上に接合されたガイドレール３５を取り除いて、左右のガイドレール３３，３４間に一枚のフィルタ濾材３０を挿入して使用する。
また、化粧パネル用フィルタ３は、化粧パネル２の形状に合わせて、前後左右の寸法を適宜変更しても構わない。
【００８３】
また、図１０に示す二つの部材を接合して成るガイドレール３５は、所謂Ｈ形鋼と同様な形状した一つの部材であっても構わない。
また、フラットグリル４は、全体を金属のみ、または、樹脂のみで形成してもよい。
【符号の説明】
【００８４】
１      天井埋込式空気調和機
１ａ    吸込口
１ｂ    吹出口
２      化粧パネル
３      化粧パネル用フィルタ
４      フラットグリル
５      摘みねじ
５ａ    摘み部
７      シール材
１０    室内機
１１    室内機本体
３０    フィルタ濾材
３１    フィルタ枠
３２    平板状部材
３３，３４，３５  ガイドレール
３６，３７  ステー
【図１】
0006393210.tif 000002
【図２】
0006393210.tif 000003
【図３】
0006393210.tif 000004
【図４】
0006393210.tif 000005
【図５】
0006393210.tif 000006
【図６】
0006393210.tif 000007
【図７】
0006393210.tif 000008
【図８】
0006393210.tif 000009
【図９】
0006393210.tif 000010
【図１０】
0006393210.tif 000011
【図１１】
0006393210.tif 000012
【図１２】
0006393210.tif 000013